【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
光電変換を行う第１のグループの画素及び光電変換を行う第２のグループの画素を含む画素領域と、
前記画素領域に対して第１の方向に配置され、前記第１のグループの画素の出力信号に対して信号処理する第１の信号処理回路と、
前記画素領域に対して前記第１の方向とは異なる第２の方向に配置され、前記第２のグループの画素の出力信号に対して信号処理する第２の信号処理回路と、
前記画素領域に対して前記第１の方向に配置され、前記第１の信号処理回路に対して第１の電位を供給する第１の外部接続端子と、
前記画素領域に対して前記第２の方向に配置され、前記第２の信号処理回路に対して前記第１の電位を供給する第２の外部接続端子と、
前記画素領域に対して前記第１の方向に配置され、前記第１のグループの画素に対して第２の電位を供給する第３の外部接続端子と、
前記画素領域に対して前記第２の方向に配置され、前記第２のグループの画素に対して前記第２の電位を供給する第４の外部接続端子とを有し、
前記第１の信号処理回路は、前記第２の外部接続端子から前記第１の電位の供給を受けず、前記第１の外部接続端子から前記第１の電位の供給を受け、
前記第２の信号処理回路は、前記第１の外部接続端子から前記第１の電位の供給を受けず、前記第２の外部接続端子から前記第１の電位の供給を受け、
前記第１のグループの画素は、前記第４の外部接続端子から前記第２の電位の供給を受けず、前記第３の外部接続端子から前記第２の電位の供給を受け、
前記第２のグループの画素は、前記第３の外部接続端子から前記第２の電位の供給を受けず、前記第４の外部接続端子から前記第２の電位の供給を受けることを特徴とする撮像装置。
【請求項２】
前記第１の電位は基準電位であり、前記第２の電位は電源電圧であることを特徴とする請求項１記載の撮像装置。
【請求項３】
前記第１の信号処理回路は、前記第１の外部接続端子から前記第１の電位の供給を受け、前記第１のグループの画素の出力信号を増幅する第１の増幅回路を有し、
前記第２の信号処理回路は、前記第２の外部接続端子から前記第１の電位の供給を受け、前記第２のグループの画素の出力信号を増幅する第２の増幅回路を有することを特徴とする請求項１又は２記載の撮像装置。
【請求項４】
前記第１の増幅回路は、第１の演算増幅器を有し、
前記第２の増幅回路は、第２の演算増幅器を有し、
前記第１の演算増幅器の非反転入力端子は、第１の容量を介して、前記第１の外部接続端子に接続され、
前記第２の演算増幅器の非反転入力端子は、第２の容量を介して、前記第２の外部接続端子に接続されることを特徴とする請求項３記載の撮像装置。
【請求項５】
前記第１の信号処理回路は、前記第１の外部接続端子から前記第１の電位の供給を受け、前記第１のグループの画素の出力信号を制限する第１のクリップ回路を有し、
前記第２の信号処理回路は、前記第２の外部接続端子から前記第１の電位の供給を受け、前記第２のグループの画素の出力信号を制限する第２のクリップ回路を有することを特徴とする請求項１〜４のいずれか１項に記載の撮像装置。
【請求項６】
前記第１のクリップ回路は、第１のトランジスタを有し、
前記第２のクリップ回路は、第２のトランジスタを有し、
前記第１のトランジスタのゲートは、前記第１の外部接続端子に接続され、
前記第２のトランジスタのゲートは、前記第２の外部接続端子に接続されることを特徴とする請求項５記載の撮像装置。
【請求項７】
前記画素領域、前記第１の信号処理回路、前記第２の信号処理回路、前記第１の外部接続端子、前記第２の外部接続端子、前記第３の外部接続端子及び前記第４の外部接続端子は、同一の半導体基板上に形成されていることを特徴とする請求項１〜６のいずれか１項に記載の撮像装置。
【請求項８】
光電変換を行う第１のグループの画素及び光電変換を行う第２のグループの画素を含む画素領域と、
前記画素領域に対して第１の方向に配置され、前記第１のグループの画素の出力信号に対して信号処理する第１の信号処理回路と、
前記画素領域に対して前記第１の方向とは異なる第２の方向に配置され、前記第２のグループの画素の出力信号に対して信号処理する第２の信号処理回路と、
前記画素領域に対して前記第１の方向に配置され、前記第１の信号処理回路に対して第１の電位を供給する第１の外部接続端子と、
前記画素領域に対して前記第２の方向に配置され、前記第２の信号処理回路に対して前記第１の電位を供給する第２の外部接続端子と、
前記画素領域に対して前記第１の方向に配置され、前記第１のグループの画素に対して第２の電位を供給する第３の外部接続端子と、
前記画素領域に対して前記第２の方向に配置され、前記第２のグループの画素に対して前記第２の電位を供給する第４の外部接続端子と、
前記第１のグループの画素に制御信号を出力する第１の駆動バッファと、
前記第２のグループの画素に制御信号を出力する第２の駆動バッファとを有し、
前記第１の信号処理回路は、前記第２の外部接続端子から前記第１の電位の供給を受けず、前記第１の外部接続端子から前記第１の電位の供給を受け、
前記第２の信号処理回路は、前記第１の外部接続端子から前記第１の電位の供給を受けず、前記第２の外部接続端子から前記第１の電位の供給を受け、
前記第１の駆動バッファは、前記第４の外部接続端子から前記第２の電位の供給を受けず、前記第３の外部接続端子から前記第２の電位の供給を受け、
前記第２の駆動バッファは、前記第３の外部接続端子から前記第２の電位の供給を受けず、前記第４の外部接続端子から前記第２の電位の供給を受けることを特徴とする撮像装置。
【請求項９】
前記第１のグループの画素と前記第２のグループの画素の各々は、光に基づく電荷を生成する光電変換部と、前記出力信号を出力する画素出力部と、前記光電変換部と前記画素出力部との間の接続と非接続とを切り替える転送スイッチとを有し、
前記第１の駆動バッファと前記第２の駆動バッファの各々が出力する前記制御信号が、前記転送スイッチの接続と非接続とを制御する信号であることを特徴とする請求項８記載の撮像装置。
【請求項１０】
前記第１のグループの画素と前記第２のグループの画素の各々は、光に基づく電荷を生成する光電変換部と、前記電荷が前記光電変換部から入力されるフローティングディフュージョンと、前記フローティングディフュージョンの電位に基づいて前記出力信号を出力する画素出力部と、前記フローティングディフュージョンと電源電圧との接続と非接続とを切り替えるリセットスイッチとを有し、
前記第１の駆動バッファと前記第２の駆動バッファの各々が出力する前記制御信号が、前記リセットスイッチの接続と非接続とを制御する信号であることを特徴とする請求項８記載の撮像装置。
【請求項１１】
前記撮像装置は、前記第１のグループの画素の前記出力信号を前記第１の信号処理回路に出力する第１の垂直出力線と、前記第２のグループの画素の前記出力信号を前記第２の信号処理回路に出力する第２の垂直出力線とを有し、
前記第１のグループの画素と前記第２のグループの画素の各々は、光に基づく電荷を生成する光電変換部と、前記出力信号を出力する画素出力部と、選択スイッチとを有し、
前記第１のグループの画素の前記選択スイッチは、前記第１のグループの画素の前記画素出力部と、前記第１の垂直出力線との間の接続と非接続とを切り替え、
前記第２のグループの画素の前記選択スイッチは、前記第２のグループの画素の前記画素出力部と、前記第２の垂直出力線との間の接続と非接続とを切り替え、
前記第１の駆動バッファと前記第２の駆動バッファの各々が出力する前記制御信号が、前記選択スイッチの接続と非接続とを制御する信号であることを特徴とする請求項８記載の撮像装置。
【請求項１２】
前記画素領域は、行列状に配置される複数の前記画素を有し、
各行の前記画素は、前記第１のグループの画素及び前記第２のグループの画素を有し、
前記第１の駆動バッファ及び前記第２の駆動バッファは、それぞれ、前記各行に対応して設けられ、
さらに、前記各行に対応して設けられ、前記第３の外部接続端子及び前記第４の外部接続端子間に接続される複数のスイッチを有し、
前記複数のスイッチは、選択された１つの行のスイッチがオフし、その他のスイッチがオンし、
前記選択された１つの行において、前記第１の駆動バッファは、前記第３の外部接続端子から前記第２の電位の供給を受け、前記第２の駆動バッファは、前記第４の外部接続端子から前記第２の電位の供給を受けることを特徴とする請求項８記載の撮像装置。
【請求項１３】
さらに、前記第３の外部接続端子の前記第２の電位の交流成分の振幅及び位相の少なくともいずれかを調整して前記第１の駆動バッファに出力する第１の増幅回路と、
前記第４の外部接続端子の前記第２の電位の交流成分の振幅及び位相の少なくともいずれかを調整して前記第２の駆動バッファに出力する第２の増幅回路とを有することを特徴とする請求項８記載の撮像装置。
【請求項１４】
さらに、前記画素領域に対して前記第１の方向に配置され、前記第１のグループの画素に対して第３の電位を供給する第５の外部接続端子と、
前記画素領域に対して前記第２の方向に配置され、前記第２のグループの画素に対して前記第３の電位を供給する第６の外部接続端子とを有し、
前記第１のグループの画素は、前記第６の外部接続端子から前記第３の電位の供給を受けず、前記第５の外部接続端子から前記第３の電位の供給を受け、
前記第２のグループの画素は、前記第５の外部接続端子から前記第３の電位の供給を受けず、前記第６の外部接続端子から前記第３の電位の供給を受け、
前記第１の増幅回路及び前記第２の増幅回路は、前記第５の外部接続端子により形成されるループ及び前記第６の外部接続端子により形成されるループに混入するノイズを相殺するように、前記交流成分の振幅及び位相の少なくともいずれかを調整することを特徴とする請求項１３記載の撮像装置。
【請求項１５】
前記第１の外部接続端子、前記第２の外部接続端子、前記第３の外部接続端子及び前記第４の外部接続端子が、前記画素領域の外部に配されていることを特徴とする請求項１〜１４のいずれか１項に記載の撮像装置。
【請求項１６】
請求項１〜１５のいずれか１項に記載の撮像装置と、
前記撮像装置に光学像を結像させるレンズと
を有することを特徴とする撮像システム。